(57)【要約】      （修正有）【課題】単独で運搬可能な家具を複数用意しておき、それらの家具を隣接配置して連結する構成の家具システムにおいて、家具同士の連結を簡単な構成の部材を用いて容易に行える家具システムを提供する。【解決手段】複数の家具を隣接配置してなる家具システムにおいて、前記各家具を、内部空間を囲う周壁要素をそれぞれ備えたものとし、隣接する家具の周壁要素の下端部同士が対をなす挟持部材Ｊ１１、Ｊ１２を有する連結具Ｊ１を介して連結される構成を採用する。【選択図】図２６
2020043967.tif 000002
【特許請求の範囲】
【請求項１】
複数の家具を隣接配置してなる家具システムであって、
前記各家具は、内部空間を囲う周壁要素をそれぞれ備えたものであり、隣接する家具の周壁要素の下端部同士が対をなす挟持部材を有する連結具を介して連結されている家具システム。
【請求項２】
前記連結具は、隣接する周壁要素の内面にそれぞれ係接する対をなす挟持部材と、これら挟持部材同士を前記周壁要素と干渉しない位置において結合する結合部材とを備えたものである請求項１記載の家具システム。
【請求項３】
前記連結具は、隣接する周壁要素の内面にそれぞれ係接する対をなす挟持部材と、これら挟持部材の基端同士を結合する結合部材とを備えたクリップ状のものである請求項１又は２記載の家具システム。
【請求項４】
前記一方の挟持部材は、対応する周壁要素に密着すべく前記結合部材に直交し、他方の挟持部材は、先端に向かって漸次対応する周壁部材から離間する方向に傾斜している請求項３記載の家具システム。
【請求項５】
前記一方の挟持部材は、対応する周壁要素に固定するための固定部を備えている請求項４記載の家具システム。
【請求項６】
前記両挟持部材は、先端に向かって漸次対応する周壁要素から離間方向に傾斜している請求項３記載の家具システム。
【請求項７】
前記挟持部材と前記連結部材とは、共通の板金素材を用いて一体に作られたものである請求項３記載の家具システム。
【発明の詳細な説明】
【技術分野】
【０００１】
本発明は、オフィス等で好適に使用される家具システムに関する。
【背景技術】
【０００２】
近年、比較的大規模なオフィスを中心に高低差のあるイベントスペースを造作により作る事例が増加傾向にある（例えば。非特許文献１を参照）。
【０００３】
ところが、このようなイベントスペースを造作により構築する際には、現場での大工仕事等が不可欠であり、完成までに時間がかかるという問題がある上に、造作により構築されたものの場所を移動させたり撤去したりするにもそれなりに工期が必要となる。
【０００４】
また、造作によるものは、初期デザインに対応する一定の形態を備えており、各種の事情に応じてその形態を変化させることが困難である。
【０００５】
以上のような不具合は、イベントスペース用の階段状構築物に限らず、種々の造作物に共通するところがある。
【０００６】
本発明者らは、かかる不具合を解消すべく数々のアイデア創出作業を続けた結果、それぞれが単独で運搬可能な家具を複数用意しておき、それらの家具を隣接配置することによって、造作によるものに相当するような構築物を得ることができるのではないかと考えるに至った。そして、そのアイデアを実用化すべく試行錯誤を繰り返した結果、前記家具を中空体状のものにしておき、その内部空間を囲繞する周壁要素の下端部同士を連結して複数の家具を隣接配置する構成が最も合理的であり実現可能性が高い旨を見出した。
【先行技術文献】
【非特許文献】
【０００７】
【非特許文献１】アクセルマーク株式会社、“働く環境−オフィス環境｜アクセルマーク株式会社”、[online]、平成30年、アクセルマーク株式会社、［平成30年8月7日検索］、インターネット<URL: https://saiyo.axelmark.co.jp/office/ >
【発明の概要】
【発明が解決しようとする課題】
【０００８】
本発明は、単独で運搬可能な家具を複数用意しておき、それらの家具を隣接配置して連結する構成の家具システムにおいて、家具同士の連結を簡単な構成の部材を用いて容易に行うことを目的とする。
【課題を解決するための手段】
【０００９】
請求項１記載の発明に係る家具システムは、複数の家具を隣接配置してなる家具システムであって、前記各家具が内部空間を囲う周壁要素をそれぞれ備えたものであり、隣接する家具の周壁要素の下端部同士が対をなす挟持部材を有する連結具を介して連結されているものである。
【００１０】
請求項２記載の発明に係る家具システムは、請求項１記載のものにおいて、前記連結具が、隣接する周壁要素の内面にそれぞれ係接する対をなす挟持部材と、これら挟持部材同士を前記周壁要素と干渉しない位置において結合する結合部材とを備えたものである。
【００１１】
請求項３記載の発明に係る家具システムは、請求項１又は２記載のものにおいて、前記連結具が、隣接する周壁要素の内面にそれぞれ係接する対をなす挟持部材と、これら挟持部材の基端同士を結合する結合部材とを備えたクリップ状のものである。
【００１２】
請求項４記載の発明に係る家具システムは、請求項３記載のものにおいて、前記一方の挟持部材が対応する周壁要素に密着すべく前記結合部材に直交し、他方の挟持部材が先端に向かって漸次対応する周壁部材から離間する方向に傾斜しているものである。
【００１３】
請求項５記載の発明に係る家具システムは、請求項４記載のものにおいて、前記一方の挟持部材が対応する周壁要素に固定するための固定部を備えているものである。
【００１４】
請求項６記載の発明に係る家具システムは、請求項３記載のものにおいて、前記両挟持部材が先端に向かって漸次対応する周壁要素から離間方向に傾斜しているものである。
【００１５】
請求項７記載の発明に係る家具システムは、請求項３記載のものにおいて、前記挟持部材と前記連結部材とが、共通の板金素材を用いて一体に作られたものである。
【発明の効果】
【００１６】
本発明によれば、単独で運搬可能な家具を複数用意しておき、それらの家具を隣接配置して連結する構成の家具システムにおいて、家具同士の連結を簡単な構成の部材を用いて容易に行うことができる。
【図面の簡単な説明】
【００１７】
【図１】本発明の一実施形態に係る家具システムを示す斜視図。
【図２】同実施形態に係る家具システムを示す斜視図。
【図３】同実施形態に係る家具システムを示す平面図。
【図４】同実施形態に係る家具システムを示す左側面図。
【図５】同実施形態に係る家具システムを示す中央側断面図。
【図６】同実施形態に係る家具システムを示す分解斜視図。
【図７】同実施形態に係るモジュール家具の接続の態様を示す図。
【図８】図５における要部を拡大して示す図。
【図９】同実施形態のメインユニットを構成するモジュール家具を示す説明図。
【図１０】同実施形態のメインユニットを構成するモジュール家具を示す説明図。
【図１１】同実施形態のメインユニットを構成するモジュール家具を示す説明図。
【図１２】同実施形態のメインユニットを構成するモジュール家具を示す説明図。
【図１３】同実施形態のメインユニットを構成するモジュール家具を示す説明図。
【図１４】同実施形態のメインユニットを構成するモジュール家具を示す説明図。
【図１５】同実施形態のメインユニットを構成するモジュール家具を示す説明図。
【図１６】同実施形態のメインユニットを構成するモジュール家具を示す説明図。
【図１７】同実施形態のサブユニットを構成するモジュール家具を示す説明図。
【図１８】同実施形態のサブユニットを構成するモジュール家具を示す説明図。
【図１９】同実施形態のサブユニットを構成するモジュール家具を示す説明図。
【図２０】同実施形態のサブユニットを構成するモジュール家具を示す説明図。
【図２１】同実施形態のサブユニットを構成するモジュール家具を示す説明図。
【図２２】同実施形態のサブユニットを構成するモジュール家具を示す説明図。
【図２３】同実施形態に係る第１の連結具を示す説明図。
【図２４】同実施形態に係る第２の連結具を示す説明図。
【図２５】同実施形態に係るモジュール家具の接続の態様を示す図。
【図２６】同実施形態に係るモジュール家具の接続の態様を示す図。
【図２７】同実施形態に係るモジュール家具の接続の態様を示す図。
【発明を実施するための形態】
【００１８】
本発明の一実施形態を、図１〜図２７を参照しつつ以下に述べる。
【００１９】
この実施形態の家具システムＳは、例えばオフィスのフロア等における中央領域に配置されるセンター設置形態のものであり、図１〜図６に示すように、複数のモジュール家具１１〜１２、２１〜２３、３１〜３３を組み合わせた段状のユニット１を具備してなる。これら複数のモジュール家具１１〜１２、２１〜２３、３１〜３３には、相互に高さ寸法、幅寸法及び奥行寸法の少なくとも１つが異なったモジュール家具が含まれている。なお、この家具システムＳにおいては、例えば６００ｍｍを１モジュール（Ｍ）と定め、各モジュール家具１１〜１２、２０〜２３、３１〜３３の幅寸法及び奥行き寸法は１モジュール（Ｍ）の整数倍に設定されている。また、階段状に配されたモジュール家具１１〜１２、２０〜２３、３１〜３３により形成される階段の基本的な段差（以下、階段ピッチ寸法（Ｈ）と称する）は例えば２５０ｍｍに設定されている。
【００２０】
詳述すれば、この家具システムＳは、図１〜図３に示すように、中核をなし前から後に向かって段階的に高くなる段状のメインユニット１と、このメインユニット１の機能を補完するサブユニット２Ａ、２Ｂ、３とを具備してなる。本実施形態では、サブユニットとして、メインユニット１の両側面にそれぞれ隣接されるサイド配置型のサブユニット２Ａ、２Ｂと、メインユニット１の背面に隣接させるバック配置型のサブユニット３とが採用されている。
【００２１】
本実施形態を示す図１は、家具システムＳ全体を示す前上側からの斜視図である。図２は、家具システムＳ全体を示す後上側からの斜視図である。図３の（ａ）は、家具システムＳ全体を示す平面図であり、同図の（ｂ）は、メインユニット１とサブユニット２、３とを分離して示す模式的な平面図である。図４は家具システムＳ全体を示す左側面図であり、図５は同中央側断面図である。図６は家具システムＳ全体を示す分解斜視図であり、後述するクッション体１２７、２１７、２３７、３１７、３３７を周壁要素１２１、２１１、２３１、３１１、３３１から離脱させて内部空間１２ｓ、２１ｓ、２３ｓ、３１ｓ、３３ｓを示している。図７は後述する特定のモジュール家具２２、２３を示す分解斜視図である。図８は図５における矢印Ｘ部分を拡大して示す拡大断面図である。図９〜図２２はそれぞれモジュール家具１１〜１２、２０〜２３、３１〜３３、５１〜５２、６１〜６３を示す投影図である。これらの投影図には、正面図、左側面図、平面図、底面図、背面図、正面側からの斜視図及び背面側からの斜視図が含まれている。なお、図１８及び図２０〜図２２については、該当するモジュール家具５１、６１〜６３の利用者に向かう側を正面としている。図２３〜図２４はそれぞれ後述する第１及び第２の連結具Ｊ１、Ｊ３を示す投影図である。これらの投影図には、正面図、左側面図、右側面図、平面図、正面側からの斜視図及び背面側からの斜視図が含まれている。図２５は、後述する第１及び第２の縦列領域１ａ、１ｂの後下側からの斜視図である。図２６は、第１の連結具Ｊ１を利用したモジュール家具同士の連結態様を示す作用説明図である。図２７は、第２の連結具Ｊ３を利用したモジュール家具同士の連結態様を示す作用説明図である。
＜メインユニット１の構成＞
この実施形態のメインユニット１は、例えば、図３に示すように、複数の縦列領域、具体的には、第１の縦列領域１ａと、第２の縦列領域１ｂと、第３の縦列領域１ｃとに区画されており、各縦列領域１ａ〜１ｃにそれぞれ複数のモジュール家具１１〜１２、２０〜２３、３１〜３３が前後方向に隣接させて配置されている。
【００２２】
メインユニット１の第１の縦列領域１ａ（正面視左端の縦列領域）には、１段目のモジュール家具１１と、この１段目のモジュール家具１１の後に配された２段目のモジュール家具１２とが配されている。
【００２３】
１段目のモジュール家具１１は、ステップタイプのものであり、主に図４及び図９に示されるように、内部空間１１ｓを有した中空体状をなしており、内部空間１１ｓを囲う周壁要素１１１と、内部空間１１ｓの上を塞ぐ天壁要素１１２を備えている。周壁要素１１１は、内部空間１１ｓの前を塞ぐ前面材１１３と、内部空間１１ｓの左右をそれぞれ塞ぐ左右の側面材１１４と、内部空間１１ｓの後を塞ぐ背面材１１５とにより構成されている。また、このモジュール家具１１の上面は床面１１ｆにより構成されており、天壁要素１１１は、床面１１ｆを構成する床板１１６のみにより構成されている。この床板１１６の上面、すなわちこのモジュール家具１１の床面１１ｆは特殊強化メラミンにより形成されている。このモジュール家具１１の幅寸法は２モジュール（２Ｍ）に、また奥行き寸法は１モジュール（Ｍ）にそれぞれ設定されている。また、このモジュール家具１１の高さ寸法は、前述した階段ピッチ寸法（Ｈ）に対応させている。より具体的には、このモジュール家具１１の上面（床面１１ｆ）からオフィス床面Ｆまでの離間距離が例えば２５０ｍｍとなるように設定されている。なお、このモジュール家具１１の下面にはアジャスタ１１ａが設けられているため、その高さ寸法は微少な範囲で調節が可能である。
【００２４】
２段目のモジュール家具１２は、奥行き寸法が大きなソファタイプであるカウチタイプのものであり、主に図４及び図１０に示されるように、内部空間１２ｓを有した中空体状をなしており、内部空間１２ｓを囲う周壁要素１２１と、内部空間１２ｓの上を塞ぐ天壁要素１２２を備えている。周壁要素１２１は、内部空間１２ｓの前を塞ぐ前面材１２３と、内部空間１２ｓの左右をそれぞれ塞ぐ左右の側面材１２４と、内部空間１２ｓを後方に解放すべく設けられた後枠材１２５とにより構成されている。また、このモジュール家具１２の上面はソファ面１２ｍにより構成されており、天壁要素１２２は、ソファ面１２ｍを構成するクッション体１２７のみにより構成されている。このクッション体１２７は、下方に開口した扁平箱型の芯材１２８と、この芯材１２８の上面及び周面に添接させた図示しないクッション材と、このクッション材を被覆する張地１２９とを備えており、この張地１２９の上面がソファ面１２ｍを形成している。このクッション体１２７は周壁要素１２１に対して挿脱可能であり、装着時の位置決めは、クッション体１２７の芯材１２８の角部内面１２８ａから下方に突設した位置決め突起１２ｔを周壁要素１２１の角部内面に嵌合させることにより行われている。図６は、クッション体１２７を周壁要素１２１から離脱させて内部空間１２ｓが上方に解放された状態を示している。このモジュール家具１２の幅寸法は２モジュール（２Ｍ）に、また奥行き寸法は２モジュール（２Ｍ）にそれぞれ設定されている。また、このモジュール家具１２の高さ寸法は、周壁要素１２１の高さ寸法とクッション体１２７の高さ寸法とを加えた値であるが、周壁要素１２１の高さ寸法は前述した階段ピッチ寸法の２倍（２Ｈ）に設定されており、クッション体１２７の高さ寸法は階段ピッチ寸法（Ｈ）よりも若干小さな値に設定されている。なお、このモジュール家具１２の下面にはアジャスタ１２ａが設けられているため、その高さ寸法は微少な範囲で調節が可能である。また、このモジュール家具１２のクッション体１２７には、コンセント１２０が添接されている。具体的には、このコンセント１２０は、電源端子１２０ａとＵＳＢ端子１２０ｂとを２口ずつ備えたもので、周壁要素１２１の後枠材１２５に固定され、クッション体１２７の背面中央部に設けた凹陥部１２７ｘ内に配されている。このコンセントの電源端子１２０ａ及びＵＳＢ端子１２０ｂは、クッション体１２７の上面（ソファ面１２ｍ）側に表出しており、上からこれら端子１２０ａ、１２０ｂに図示しないプラグを装着することができるようになっている。コンセント１２０に電力や通信信号を供給するケーブル１２ｃは、内部空間１２ｓを通してオフィス床面Ｆ等の上に垂下させてあり、そのオフィス床面Ｆに沿って必要な箇所に導かれている。内部空間１２ｓの底には、ケーブル１２ｃ等を接続するための図示しないコンセント等を配してもよい。
【００２５】
メインユニットの第２の縦列領域１ｂ（正面視中央の縦列領域）には、１段目の第１及び第２のモジュール家具２０、２１と、これら１段目のモジュール家具２０、２１の後に配された２段目のモジュール家具２２と、この２段目のモジュール家具２２の後に配された３段目のモジュール家具２３とが配されている。
【００２６】
１段目の第１のモジュール家具２０は、ステップタイプのものであり、主に図１１に示されるように、内部空間２０ｓを有した中空体状をなしており、内部空間２０ｓを囲う周壁要素２０１と、内部空間２０ｓの上を塞ぐ天壁要素２０２を備えている。周壁要素２０１は、内部空間２０ｓの前を塞ぐ前面材２０３と、内部空間２０ｓの左右をそれぞれ塞ぐ左右の側面材２０４と、内部空間２０ｓの後を塞ぐ背面材２０５とにより構成されている。また、このモジュール家具２０の上面は床面２０ｆにより構成されており、天壁要素２０１は、床面２０ｆを構成する床板２０６のみにより構成されている。この床板２０６の上面、すなわちこのモジュール家具２０の床面２０ｆは特殊強化メラミンにより形成されている。このモジュール家具１１の幅寸法は１モジュール（１Ｍ）に、また奥行き寸法は１モジュール（Ｍ）にそれぞれ設定されている。また、このモジュール家具２０の高さ寸法は、前述した階段ピッチ寸法（Ｈ）に対応させている。より具体的には、このモジュール家具２０の上面（床面２０ｆ）からオフィス床面Ｆまでの離間距離が例えば２５０ｍｍとなるように設定されている。なお、このモジュール家具２０の下面にはアジャスタ２０ａが設けられているため、その高さ寸法は微少な範囲で調節が可能である。
【００２７】
１段目の第１のモジュール家具２１は、１段目の第１のモジュール家具２０の側方に配されるソファタイプのものであり、主に図５及び図１２に示されるように、内部空間２１ｓを有した中空体状をなしており、内部空間２１ｓを囲う周壁要素２１１と、内部空間２１ｓの上を塞ぐ天壁要素２１２を備えている。周壁要素２１１は、内部空間２１ｓの前を塞ぐ前面材２１３と、内部空間２１ｓの左右をそれぞれ塞ぐ左右の側面材２１４と、内部空間２１ｓの後を塞ぐ背面材２１５とにより構成されている。また、このモジュール家具２１の上面はソファ面２１ｍにより構成されており、天壁要素２１２は、ソファ面２１ｍを構成するクッション体２１７のみにより構成されている。このクッション体２１７は、下方に開口した扁平箱型の芯材２１８と、この芯材２１８の上面及び周面に添接させた図示しないクッション材と、このクッション材を被覆する張地２１９とを備えており、この張地２１９の上面がソファ面２１ｍを形成している。このクッション体２１７は周壁要素２１１に対して挿脱可能であり、装着時の位置決めは、クッション体２１７の芯材２１８の角部内面２１８ａから下方に突設した位置決め突起２１ｔを周壁要素２１１の角部内面に嵌合させることにより行われている。このモジュール家具２１の幅寸法は２モジュール（２Ｍ）に、また奥行き寸法は１モジュール（Ｍ）にそれぞれ設定されている。また、このモジュール家具２１の高さ寸法は、周壁要素２１１の高さ寸法とクッション体２１７の高さ寸法とを加えた値であるが、周壁要素２１１の高さ寸法は前述した階段ピッチ寸法（Ｈ）に設定されており、クッション体２１７の高さ寸法は階段ピッチ寸法（Ｈ）よりも若干小さな値に設定されている。なお、このモジュール家具２１の下面にはアジャスタ２１ａが設けられているため、その高さ寸法は微少な範囲で調節が可能である。さらに、このモジュール家具２１のクッション体２１７には、コンセント２１０が添接されている。具体的には、このコンセント２１０は、第１の縦列領域１ａの２段目のモジュール家具１２に備えられたものと同様のもので、周壁要素２１１の背面材２１５に固定され、クッション体２１７の背面中央部に設けた凹陥部２１７ｘ内に配されている。このコンセント２１０の電源端子２１０ａ及びＵＳＢ端子２１０ｂは、クッション体２１７の上面（ソファ面２１ｍ）側に表出しており、上からこれら端子２１０ａ、２１０ｂに図示しないプラグを装着することができるようになっている。コンセント２１０に電力や通信信号を供給するケーブル２１ｃは、内部空間２１ｓを通してオフィス床面Ｆ等の上に垂下させてあり、そのオフィス床面Ｆに沿って必要な箇所に導かれている。内部空間２１ｓの底には、ケーブル２１ｃ等を接続するための図示しないコンセント等を配してもよい。
【００２８】
２段目のモジュール家具２２は、ステップタイプのものであり、主に図５、図７、図８及び図１３に示されるように、内部空間２２ｓを有した中空体状をなしており、内部空間２２ｓを囲う周壁要素２２１と、内部空間２２ｓの上を塞ぐ天壁要素２２２を備えている。周壁要素２２１は、内部空間２２ｓの前を塞ぐ前面材２２３と、内部空間２２ｓの左右をそれぞれ塞ぐ左右の側面材２２４と、内部空間２２ｓを後方に解放すべく設けられた後枠材２２５とにより構成されている。また、このモジュール家具２２の上面は床面２２ｆにより構成されており、天壁要素２２２は、床面２２ｆを構成する床板２２６のみにより構成されている。この床板２２６の上面、すなわちこのモジュール家具２２の床面２２ｆは特殊強化メラミンにより形成されている。このモジュール家具２２の幅寸法は３モジュール（３Ｍ）に、また奥行き寸法は１モジュール（Ｍ）にそれぞれ設定されている。また、このモジュール家具２２の高さ寸法は、前述した階段ピッチ寸法（Ｈ）の２倍に対応させている。より具体的には、このモジュール家具２２の上面（床面２２ｆ）からオフィス床面までの離間距離が例えば５００ｍｍとなるように設定されている。なお、このモジュール家具２２の下面にはアジャスタ２２ａが設けられているため、その高さ寸法は微少な範囲で調節が可能である。
【００２９】
３段目のモジュール家具２３は、ソファタイプのものであり、主に図５、図７、図８及び図１４に示されるように、内部空間２３ｓを有した中空体状をなしており、内部空間２３ｓを囲う周壁要素２３１と、内部空間２３ｓの上を塞ぐ天壁要素２３２を備えている。周壁要素２３１は、内部空間２３ｓの上部の前を塞ぐ前面材２３３と、内部空間２３ｓの下部を前方に解放すべく設けられた前枠材２３Ｆと、内部空間２３ｓの左右をそれぞれ塞ぐ左右の側面材２３４と、内部空間２３ｓを後方に解放すべく設けられた後枠材２３５とにより構成されている。また、このモジュール家具２３の上面はソファ面２３ｍにより構成されており、天壁要素２３２は、ソファ面２３ｍを構成するクッション体２３７のみにより構成されている。このクッション体２３７は、下方に開口した扁平箱型の芯材２３８と、この芯材２３８の上面及び周面に添接させたクッション材２３Ｎと、このクッション材２３Ｎを被覆する張地２３９とを備えており、この張地２３９の上面がソファ面２３ｍを形成している。このクッション体２３７は周壁要素２３１に対して挿脱可能であり、装着時の位置決めは、クッション体２３７の芯材２３８の角部内面２３８ａから下方に突設した位置決め突起２３ｔを周壁要素２３１の角部内面に嵌合させることにより行われている。このモジュール家具２３の幅寸法は３モジュール（３Ｍ）に、また奥行き寸法は１モジュール（Ｍ）にそれぞれ設定されている。また、このモジュール家具２３の高さ寸法は、周壁要素２３１の高さ寸法とクッション体２３７の高さ寸法とを加えた値であるが、周壁要素２３１の高さ寸法は前述した階段ピッチ寸法の３倍（３Ｈ）に設定されており、クッション体２３７の高さ寸法は階段ピッチ寸法よりも若干小さな値に設定されている。なお、このモジュール家具２３の下面にはアジャスタ２３ａが設けられているため、その高さ寸法は微少な範囲で調節が可能である。さらに、このモジュール家具２３のクッション体２３７には、コンセント２３０が添接されている。具体的には、このコンセント２３０は、第１の縦列領域１ａの２段目のモジュール家具１２に備えられたものと同様のもので、周壁要素２３１の後枠材２３５に固定され、クッション体２３７の背面中央部に設けた凹陥部２３７ｘ内に配されている。このコンセント２３０の電源端子２３０ａ及びＵＳＢ端子２３０ｂは、クッション体の上面側に表出しており、上からこれら端子に図示しないプラグを装着することができるようになっている。コンセントに電力や通信信号を供給するケーブル２３ｃは、内部空間を通してオフィス床面上に垂下させてあり、そのオフィス床面に沿って必要な箇所に導かれている。内部空間２３ｓの底には、ケーブル等を接続するための図示しないコンセント等を配してもよい。
【００３０】
メインユニットの第３の縦列領域１ｃ（正面視右端の縦列領域）には、１段目のモジュール家具３１と、この１段目のモジュール家具３１の後に配された２段目のモジュール家具３２と、この２段目のモジュール家具３２の後に配された３段目のモジュール家具３３とが配されている。
【００３１】
１段目のモジュール家具３１は、ソファタイプのものであり、主に図１５に示されるように、内部空間３１ｓを有した中空体状をなしており、内部空間３１ｓを囲う周壁要素３１１と、内部空間３１ｓの上を塞ぐ天壁要素３１２を備えている。周壁要素３１１は、内部空間３１ｓの前を塞ぐ前面材３１３と、内部空間３１ｓの左右をそれぞれ塞ぐ左右の側面材３１４と、内部空間３１ｓの後を塞ぐ背面材３１５とにより構成されている。また、このモジュール家具３１の上面はソファ面３１ｍにより構成されており、天壁要素３１２は、ソファ面３１ｍを構成するクッション体３１７のみにより構成されている。このクッション体３１７は、下方に開口した扁平箱型の芯材３１８と、この芯材３１８の上面及び周面に添接させた図示しないクッション材と、このクッション材を被覆する張地３１９とを備えており、この張地３１９の上面がソファ面３１ｍを形成している。このクッション体３１７は周壁要素３１１に対して挿脱可能であり、装着時の位置決めは、クッション体３１７の芯材３１８の角部内面３１８ａから下方に突設した位置決め突起３１ｔを周壁要素３１１の角部内面に嵌合させることにより行われている。このモジュール家具３１の幅寸法は２モジュール（２Ｍ）に、また奥行き寸法は１モジュール（Ｍ）にそれぞれ設定されている。また、このモジュール家具３１の高さ寸法は、周壁要素３１１の高さ寸法とクッション体３１７の高さ寸法とを加えた値であるが、周壁要素３１１の高さ寸法は前述した階段ピッチ寸法（Ｈ）に設定されており、クッション体３１７の高さ寸法は階段ピッチ寸法（Ｈ）よりも若干小さな値に設定されている。なお、このモジュール家具３１の下面にはアジャスタ３１ａが設けられているため、その高さ寸法は微少な範囲で調節が可能である。さらに、このモジュール家具３１のクッション体３１７には、コンセント３１０が添接されている。具体的には、このコンセント３１０は、第１の縦列領域１ａの２段目のモジュール家具１２に備えられたものと同様のもので、周壁要素３１１の背面材３１５に固定され、クッション体３１７の背面中央部に設けた凹陥部３１７ｘ内に配されている。このコンセント３１０の電源端子３１０ａ及びＵＳＢ端子３１０ｂは、クッション体３１７の上面（ソファ面３１ｍ）側に表出しており、上からこれら端子３１０ａ、３１０ｂに図示しないプラグを装着することができるようになっている。コンセント３１０に電力や通信信号を供給するケーブル３１ｃは、内部空間３１ｓを通してオフィス床面Ｆ等の上に垂下させてあり、そのオフィス床面Ｆに沿って必要な箇所に導かれている。内部空間３１ｓの底には、ケーブル３１ｃ等を接続するための図示しないコンセント等を配してもよい。
【００３２】
２段目のモジュール家具３２は、ステップタイプのものであり、主に図１６に示されるように、内部空間３２ｓを有した中空体状をなしており、内部空間３２ｓを囲う周壁要素３２１と、内部空間３２ｓの上を塞ぐ天壁要素３２２を備えている。周壁要素３２１は、内部空間３２ｓの前を塞ぐ前面材３２３と、内部空間３２ｓの左右をそれぞれ塞ぐ左右の側面材３２４と、内部空間３２ｓを後方に解放すべく設けられた後枠材３２５とにより構成されている。また、このモジュール家具３２の上面は床面３２ｆにより構成されており、天壁要素３２２は、床面３２ｆを構成する床板３２６のみにより構成されている。この床板３２６の上面、すなわちこのモジュール家具３２の床面３２ｆは特殊強化メラミンにより形成されている。このモジュール家具３２の幅寸法は２モジュール（２Ｍ）に、また奥行き寸法は１モジュール（Ｍ）にそれぞれ設定されている。また、このモジュール家具３２の高さ寸法は、前述した階段ピッチ寸法（Ｈ）の２倍に対応させている。より具体的には、このモジュール家具３２の上面（床面３２ｆ）からオフィス床面までの離間距離が例えば５００ｍｍとなるように設定されている。なお、このモジュール家具３２の下面にはアジャスタ３２ａが設けられているため、その高さ寸法は微少な範囲で調節が可能である。
【００３３】
３段目のモジュール家具３３は、ソファタイプのものであり、主に図１７に示されるように、内部空間３３ｓを有した中空体状をなしており、内部空間３３ｓを囲う周壁要素３３１と、内部空間３３ｓの上を塞ぐ天壁要素３３２を備えている。周壁要素３３１は、内部空間３３ｓの上部の前を塞ぐ前面材３３３と、内部空間３３ｓの下部を前方に解放すべく設けられた前枠材３３Ｆと、内部空間３３ｓの左右をそれぞれ塞ぐ左右の側面材３３４と、内部空間３３ｓを後方に解放すべく設けられた後枠材３３５とにより構成されている。また、このモジュール家具３３の上面はソファ面３３ｍにより構成されており、天壁要素３３２は、ソファ面３３ｍを構成するクッション体３３７のみにより構成されている。このクッション体３３７は、下方に開口した扁平箱型の芯材３３８と、この芯材３３８の上面及び周面に添接させた図示しないクッション材と、このクッション材を被覆する張地３３９とを備えており、この張地３３９の上面がソファ面３３ｍを形成している。このクッション体３３７は周壁要素３３１に対して挿脱可能であり、装着時の位置決めは、クッション体３３７の芯材３３８の角部内面３３８ａから下方に突設した位置決め突起３３ｔを周壁要素３３１の角部内面に嵌合させることにより行われている。このモジュール家具３３の幅寸法は２モジュール（２Ｍ）に、また奥行き寸法は１モジュール（Ｍ）にそれぞれ設定されている。また、このモジュール家具３３の高さ寸法は、周壁要素３３１の高さ寸法とクッション体３３７の高さ寸法とを加えた値であるが、周壁要素３３１の高さ寸法は前述した階段ピッチ寸法の３倍（３Ｈ）に設定されており、クッション体３３７の高さ寸法は階段ピッチ寸法（Ｈ）よりも若干小さな値に設定されている。なお、このモジュール家具３３の下面にはアジャスタ３３ａが設けられているため、その高さ寸法は微少な範囲で調節が可能である。さらに、このモジュール家具３３のクッション体３３７には、コンセント３３０が添接されている。具体的には、このコンセント３３０は、第１の縦列領域１ａの２段目のモジュール家具１２に備えられたものと同様のもので、周壁要素３３１の後枠材３３５に固定され、クッション体３３７の背面中央部に設けた凹陥部３３７ｘ内に配されている。このコンセント３３０の電源端子３３０ａ及びＵＳＢ端子３３０ｂは、クッション体３３７の上面（ソファ面３３ｍ）側に表出しており、上からこれら端子３３０ａ、３３０ｂに図示しないプラグを装着することができるようになっている。コンセント３３０に電力や通信信号を供給するケーブル３３ｃは、内部空間３３ｓを通してオフィス床面Ｆ等の上に垂下させてあり、そのオフィス床面Ｆに沿って必要な箇所に導かれている。内部空間３３ｓの底には、ケーブル３３ｃ等を接続するための図示しないコンセント等を配してもよい。
【００３４】
ここで、幅寸法の１モジュール（Ｍ）は、１人分の占有幅を考慮して定められた値である。奥行き寸法の１モジュール（Ｍ）は、着座者Ｐ１、Ｐ２の前を通行可能となるように考慮して定められた値である。そして、階段ピッチ寸法（Ｈ）は、２段目及び３段目からの視野を確保しつつ２段目及び３段目にアクセスしやすくなるように考慮して定められた値である。これらの値は、以上説明したものに限定されるものではなく、必要に応じて適宜変更可能である。
【００３５】
なお、各コンセント１２０、２１０、２３０、３１０、３３０から垂下されるケーブル１２ｃ、２１ｃ、２３ｃ、３１ｃ、３３ｃは、オフィス床面Ｆ等に沿って引き回されるものであり、例えば２段目のモジュール家具２２、３２の背面近傍を通して左右方向にも導かれる。ここで、図７及び図８において、２２４ｘは、ケーブル１２ｃ、２１ｃ、２３ｃ、３１ｃ、３３ｃを左右方向に挿通させるための切欠である。ケーブル１２ｃ、２１ｃ、２３ｃ、３１ｃ、３３ｃの引き回しは、モジュール家具１１〜３３の内部空間１１ｓ〜３３ｓを利用して行うことができるが、例えば、内部空間１１ｓ〜３３ｓに後述する防災キットＫなどを収納する場合には、ケーブル１２ｃ、２１ｃ、２３ｃ、３１ｃ、３３ｃを収納の邪魔にならない箇所、例えば枠材の上面等に配してもよい。
＜サイド配置型のサブユニットの構成＞
メインユニット１の正面視左側に隣接配置されるサイド配置型のサブユニット２Ａは、図１８に示すモジュール家具５１と、このモジュール家具５１に対して前後方向の寸法が異なるモジュール家具５３とを備えている。
【００３６】
図１８に示すモジュール家具５１は、ステップタイプのもので、図９に示すメインユニットの第１の縦列領域１ａの１段目のモジュール家具１１に準じた構成をなすものであり、図１、図２及び図６に示すように、その上面に形成された床面５１ｆがメインユニット１の最も低いモジュール家具すなわち１段目のモジュール家具１１、２１、３１の上面に連続している。このモジュール家具５１は、前後方向寸法が例えば２モジュール（２Ｍ）に設定されており、左右方向寸法は例えば０．７５モジュール（０．７５Ｍ）に設定されている。なお、このモジュール家具５１の下面にはアジャスタ５１ａが設けられているため、その高さ寸法は微少な範囲で調節が可能である。これらの値もこの実施形態におけるものに限定されるものでなく、適宜変更してよい。
【００３７】
このモジュール家具５１の後方に隣接するモジュール家具５３は、ステップタイプのもので、図１８に示すモジュール家具５１に準じた構成をなすものであり、図１及び図６に示すように、その上面に形成された床面５３ｆが図１８に示すモジュール家具５１の上面に形成された床面５１ｆに連続している。このモジュール家具５３は、前後方向寸法が例えば１．７５モジュール（１．７５Ｍ）に設定されており、左右方向寸法は例えば０．７５モジュール（０．７５Ｍ）に設定されている。これらの値もこの実施形態におけるものに限定されるものでなく、適宜変更してよい。
【００３８】
メインユニット１の正面視右側に隣接配置されるサイド配置型のサブユニット２Ｂは、図１８に示すモジュール家具５１と、図１９に示すモジュール家具５２とを備えている。
【００３９】
図１９に示すモジュール家具５２は、図１、図５及び図６に示すように、メインユニット１の最も高いモジュール家具すなわち３段目のモジュール家具２３、３３の上面（ソファ面２３ｍ、３３ｍ）よりも上方に延出した形態をなすガードウォールタイプのもので、メインユニット１の最も高いモジュール家具２３、３３のソファ面２３ｍ、３３ｍに着座している着座者の外側方への転落をガードする機能を備えている。このモジュール家具５２は、内部空間を包囲する周壁要素５２１と、内部空間の上面を塞ぐ蓋５２２とを備えたもので、蓋５２２を取り外すことにより内部空間に植物を植えたプランター等を収容できるようになっている。このモジュール家具５２の前後方向寸法は例えば１．７５モジュール（１．７５Ｍ）に設定されており、左右方向寸法は例えば０．７５モジュール（０．７５Ｍ）に設定されている。そして、このモジュール家具５２の高さ寸法は、周りからイベントが見えるようにすべく、例えば１０００ｍｍ、すなわち階段ピッチ寸法の４倍（４Ｈ）に設定されている。なお、このモジュール家具５２の下面にはアジャスタ５２ａが設けられているため、その高さ寸法は微少な範囲で調節が可能である。これらの値もこの実施形態におけるものに限定されるものでなく、適宜変更してよい。
＜バック配置型のサブユニットの構成＞
メインユニット１の背面に隣接配置されるバック配置型のサブユニット３は、図２０に示すモジュール家具６１と、図２１に示すモジュール家具６２と、図２２に示すモジュール家具６３とを備えている。
【００４０】
図２０に示すモジュール家具６１は、前方を向いて使用可能なキッチンタイプのもので、左右の脚６１１間に天板６１２を架設しその天板６１２の反使用端側に背板６１３を設けてなる。この天板６１２上にはコーヒーメーカーなどを載置して使用されるものであり、背板６１３には図示しない床からの電源用のケーブルを天板上に導くための図示しない配線挿通路と、この配線挿通路を外部に連通させるための配線挿通口６１４とが設けられている。このモジュール家具６１はメインユニット１の第１の縦列領域１ａの後方に配されており、その左右方向寸法は例えば２モジュール（２Ｍ）に、また前後方向寸法は例えば０．７５モジュール（０．７５Ｍ）にそれぞれ設定されている。このモジュール家具６１の左右方向位置はメインユニット１の第１の縦列領域１ａと一致させてある。そして、このモジュール家具６１の高さ寸法は、周りからイベントが見えるようにすべく、例えば１０００ｍｍに設定されている。すなわち、背板６１３の上端部は天板６１２上面よりも上方に延出させてあり、このモジュール家具６１の上端６１ｕ（背板６１３の上端）とオフィス床面Ｆとの距離が例えば１０００ｍｍ（階段ピッチ寸法の４倍（４Ｈ））に設定されている。なお、このモジュール家具６１の下面にはアジャスタ６１ａが設けられているため、その高さ寸法は微少な範囲で調節が可能である。これらの値もこの実施形態におけるものに限定されるものでなく、適宜変更してよい。このモジュール家具６１は、図１及び図６に示すように、メインユニット１の最も高いモジュール家具すなわち３段目のモジュール家具２３、３３の上面（ソファ面２３ｍ、３３ｍ）よりも上方、かつ第１の縦列領域１ａの２段目のモジュール家具１２の上面（ソファ面１２ｍ）よりも上方に延出した形態をなすガードウォールタイプのもので、メインユニット１の最も高いモジュール家具２３のソファ面２３ｍ、及びに第１の縦列領域１ａにおける最も高いモジュール家具すなわち２段目のモジュール家具１２のソファ面１２ｍにある着座している着座者の後方への転落をガードする機能をも備えている。
【００４１】
図２１に示すモジュール家具６２は、前方を向いて使用可能なカウンタタイプのもので、支持構造体６２１により天板６２２を支持してなる。支持構造体６２１は、幕板６２３と、この幕板６２３の前方に配された上下の枠材６２４、６２５と、これら枠材６２４、６２５と幕板６２３との間に設けられ幕板６２３に直交する複数枚の平行な中板６２６と、上の枠材６２４上に配設された天板６２２と同一の幅寸法を有する可動背板６２７とを備えている。このモジュール家具６２はメインユニット１の第２の縦列領域１ｂの後方に配されており、そのモジュール家具６２の左右方向寸法は例えば３モジュール（３Ｍ）に、また前後方向寸法は例えば０．７５モジュール（０．７５Ｍ）にそれぞれ設定されている。このモジュール家具６２の左右方向位置はメインユニット１の第２の縦列領域１ｂと一致させてある。このモジュール家具６２の高さ寸法、換言すれば天板面６２２ａとオフィス床面Ｆとの距離は、周りからイベントが見えるようにすべく、例えば１０００ｍｍ（階段ピッチ寸法の４倍（４Ｈ））に設定されている。なお、このモジュール家具６２の下面にはアジャスタ６２ａが設けられているため、その高さ寸法は微少な範囲で調節が可能である。これらの値もこの実施形態におけるものに限定されるものでなく、適宜変更してよい。このモジュール家具６２も、図１、図５及び図６に示すように、メインユニット１の最も高いモジュール家具すなわち３段目のモジュール家具２３、３３の上面（ソファ面２３ｍ、３３ｍ）よりも上方に延出した形態をなすガードウォールタイプのもので、メインユニット１の最も高いモジュール家具２３、３３のソファ面２３ｍ、３３ｍに着座している着座者の後方への転落をガードする機能を備えている。すなわち、このモジュール家具６２の可動背板６２７が前方に露出してガードウォールとしての役割をなしている。
【００４２】
図２２に示すモジュール家具６３は、前方を向いて使用可能なカウンタタイプのもので、支持構造体６３１により天板６３２を支持してなる。支持構造体６３１は、幕板６３３と、この幕板６３３の前方に配された上下の枠材６３４、６３５と、これら枠材６３４、６３５と幕板６３３との間に設けられ幕板６３３に直交する複数枚の平行な中板６３６と、上の枠材６３４上に配設された天板６３２と同一の幅寸法を有する可動背板６３７とを備えている。ここで、上の枠材６３４は、天板６３２と同一の幅寸法を有する板状のものであり、背面が可動背板６３７の背面と面一に連続している。このモジュール家具６３の左右方向寸法は例えば２モジュール（２Ｍ）に設定されており、前後方向寸法は例えば０．７５モジュール（０．７５Ｍ）に設定されている。このモジュール家具６３の左右方向位置はメインユニット１の第３の縦列領域１ｃと一致させてある。そして、このモジュール家具６３の高さ寸法、換言すれば天板面６３２ａとオフィス床面Ｆとの距離は、周りからイベントが見えるようにすべく、例えば１０００ｍｍ（階段ピッチ寸法の４倍（４Ｈ））に設定されている。なお、このモジュール家具６３の下面にはアジャスタ６３ａが設けられているため、その高さ寸法は微少な範囲で調節が可能である。これらの値もこの実施形態におけるものに限定されるものでなく、適宜変更してよい。このモジュール家具６３も、図１及び図６に示すように、メインユニット１の最も高いモジュール家具すなわち３段目のモジュール家具２３、３３の上面（ソファ面２３ｍ、３３ｍ）よりも上方に延出した形態をなすガードウォールタイプのもので、メインユニット１の最も高いモジュール家具２３、３３のソファ面２３ｍ、３３ｍに着座している着座者の後方への転落をガードする機能を備えている。すなわち、このモジュール家具６３の可動背板６３７が前方に露出してガードウォールとしての役割をなしている。
＜モジュール家具同士の連結＞
以上説明した家具システムにおいては、隣接配置されたモジュール家具１１〜１２、２０〜２３、３１〜３３同士を、必要に応じて相互に連結している。
【００４３】
各モジュール家具１１〜１２、２０〜２３、３１〜３３は、前述したように内部空間１１ｓ〜１２ｓ、２０ｓ〜２３ｓ、３１ｓ〜３３ｓを囲う周壁要素１１１〜１２１、２０〜２３、３１〜３３をそれぞれ備えたものであり、隣接するモジュール家具１１〜１２、２０〜２３、３１〜３３の周壁要素１１１〜１２１、２０１〜２３１、３１１〜３３１の下端部同士が対をなす挟持部材を有する連結具を介して連結されている。
【００４４】
連結具は、隣接する周壁要素１１１〜１２１、２０１〜２３１、３１１〜３３１の内面にそれぞれ係接する対をなす挟持部材と、これら挟持部材同士を前記周壁要素と干渉しない位置において結合する結合部材とを備えたものである。具体的には、この実施形態では、第１の連結具Ｊ１と、第２の連結具Ｊ３とが存在している。
【００４５】
第１の連結具Ｊ１は、図２３に示すように、隣接する周壁要素１１１〜１２１、２０１〜２３１、３１１〜３３１の内面にそれぞれ係接する対をなす挟持部材Ｊ１１、Ｊ１２と、これら挟持部材Ｊ１１、Ｊ１２の基端同士を結合する結合部材Ｊ１３とを備えたクリップ状のものである。そして、一方の挟持部材Ｊ１１は、対応する周壁要素１１１〜１２１、２０１〜２３１、３１１〜３３１に密着すべく前記結合部材Ｊ１３に直交し、他方の挟持部材Ｊ１２は、先端に向かって漸次対応する周壁要素１１１〜１２１、２０１〜２３１、３１１〜３３１から離間する方向に傾斜している。一方の挟持部材Ｊ１１には固定部たるネジ挿通孔Ｊ１１ａが設けられており、このネジ挿通孔Ｊ１１ａに挿通させた図示しないネジにより対応するモジュール家具１１〜１２、２０〜２３、３１〜３３の周壁要素１１１〜１２１、２０１〜２３１、３１１〜３３１に止着されている。この第１の連結具Ｊ１における対をなす挟持部材Ｊ１１、Ｊ１２と、連結部材Ｊ１３とは、帯状をなす共通の板金素材に折曲加工を施すことにより一体に作られている。
【００４６】
ここで、第１の連結具Ｊ１は、設置の順序が予め認識可能なモジュール家具同士を連結する箇所で用いられるものである。すなわち、図２６の（ａ）に模式的に示すように、先に設置されるモジュール家具（実線）の周壁要素の内面に第１の連結具Ｊ１の一方の挟持部材Ｊ１１を止着しておく。そして、後で設置されるモジュール家具（想像線）の周壁要素を第１の連結具の他方の挟持部材Ｊ１２と先に設置したモジュール家具の周壁要素の外面との間に上から嵌入させることにより、図２６の（ｂ）に模式的に示すように、両モジュール家具の連結が完了する。なお、図２６において、各モジュール家具の周壁要素を示す符号の後に設置の順序の一例を括弧内の数字で示しており、括弧内の数字が同じモジュール家具の周壁要素同士が第１の連結具Ｊ１により連結されるようになっている。
【００４７】
第２の連結具Ｊ３は、図２４に示すように、先端に向かって漸次対応する周壁要素から離間方向にそれぞれ傾斜させてある両挟持部材Ｊ３１と、これら両挟持部材Ｊ３１の基端同士を結合する結合部材Ｊ３３とを備えたクリップ状のものである。ここで、両挟持部材Ｊ３１のいずれも、モジュール家具には止着されていない。この第２の連結具Ｊ３における対をなすＪ３１と、連結部材Ｊ３３とは、帯状をなす共通の板金素材に折曲加工を施すことにより一体に作られている。
【００４８】
また、第２の連結具Ｊ３は、設置の順序が定まっていないモジュール家具同士を連結する箇所で用いられるものである。すなわち、図２７の（ａ）に模式的に示すように、まず第２の連結具Ｊ３を床面に両面テープ等の止着具を用いて止着しておき、その連結具Ｊ３の両挟持片Ｊ３１間にモジュール家具の周壁要素を適宜嵌入させることにより、図２７の（ｂ）に模式的に示すように、連結が完了するようになっている。なお、図２７において、括弧内の数字が同じモジュール家具の周壁要素同士が第２の連結具Ｊ３により連結されるようになっている。
【００４９】
次に、この実施形態の場合を具体的に説明すれば、第１の縦列領域１ａの２段目のモジュール家具１２と同縦列領域１ａの１段目のモジュール家具１１とは、２段目のモジュール家具１２の周壁要素１２１の前面材１２３の両端部に止着した第１の連結具Ｊ１を用いて連結されている。第１の縦列領域１ａの２段目のモジュール家具１２と同縦列領域１ａの後方に配されるモジュール家具６１とは、２段目のモジュール家具１２の周壁要素１２１の背面材１２５の両端部に止着した第１の連結具Ｊ１を用いて連結されている。
【００５０】
第２の縦列領域１ｂの３段目のモジュール家具２３と同縦列領域１ｂの２段目のモジュール家具２２とは、３段目のモジュール家具２３の周壁要素２３１の前面材２３３の両端部に止着した第１の連結具Ｊ１を用いて連結されている。第２の縦列領域１ｂの２段目のモジュール家具２２と同縦列領域１ｂの１段目の第１のモジュール家具２０とは、２段目のモジュール家具２２の周壁要素２２１の前面材２２３の図１、図３及び図１３における左端部に止着した第１の連結具Ｊ１、及び１段目の第１のモジュール家具２０の周壁要素２０１の背面材２０５の右端部に対応する位置の床面に止着した第２の連結具Ｊ３を用いて連結されている。第２の縦列領域１ｂの２段目のモジュール家具２２と同縦列領域１ｂの１段目の第２のモジュール家具２１とは、２段目のモジュール家具２２の周壁要素２２１の前面材２２３の図１、図３及び図１３における右端部に止着した第１の連結具Ｊ１、及び１段目の第２のモジュール家具２１の周壁要素２１１の背面材２１５の右端部に対応する位置の床面に止着した第２の連結具Ｊ３を用いて連結されている。第２の縦列領域１ｂの１段目の第１のモジュール家具２０と同縦列領域１ｂの１段目の第２のモジュール家具２１とは、これら両モジュール家具２０、２１の周壁要素２０１、２１１の互いに対向する側面材２０４、２１４の前端部及び後端部に対応する位置の床面に止着した第２の連結具Ｊ３を用いて連結されている。第２の縦列領域１ｂの３段目のモジュール家具２３と同縦列領域１ｂの後方に配されるモジュール家具６２とは、３段目のモジュール家具２３の周壁要素２３１の背面材２３５の両端部に止着した第１の連結具Ｊ１を用いて連結されている。
【００５１】
第３の縦列領域１ｃの３段目のモジュール家具３３と同縦列領域１ｃの２段目のモジュール家具３２とは、３段目のモジュール家具３３の周壁要素３３１の前面材３３３の両端部に止着した第１の連結具Ｊ１を用いて連結されている。第３の縦列領域１ｃの２段目のモジュール家具３２と同縦列領域１ｃの１段目のモジュール家具３１とは、２段目のモジュール家具３２の周壁要素３２１の前面材３２３の図１、図３及び図１６における両端部に止着した第１の連結具Ｊ１を用いて連結されている。第３の縦列領域１ｃの３段目のモジュール家具３３と同縦列領域１ｃの後方に配されるモジュール家具６３とは、３段目のモジュール家具３３の周壁要素３３１の背面材３３５の両端部に止着した第１の連結具Ｊ１を用いて連結されている。
【００５２】
第１の縦列領域１ａの２段目のモジュール家具１２と第２の縦列領域１ｂの３段目のモジュール家具２３とは、第２の縦列領域１ｂの３段目のモジュール家具２３の周壁要素２３１の側面材２３４の前後両端部に止着した第１の連結具Ｊ１を用いて連結されている。第１の縦列領域１ａの２段目のモジュール家具１２と第２の縦列領域１ｂの２段目のモジュール家具２２とは、これら両モジュール家具１２、２２の周壁要素１２１、２２１の互いに対向する側面材１２４、２２４の前端部に対応する位置の床面に止着した第２の連結具Ｊ３を用いて連結されている。第１の縦列領域１ａの１段目のモジュール家具１１と第２の縦列領域１ｂの１段目の第１のモジュール家具２０とは、これら両モジュール家具１１、２０の周壁要素１１１、２０１の互いに対向する側面材１１４、２０４の前端部に対応する位置の床面に止着した第２の連結具Ｊ３を用いて連結されている。
【００５３】
第２の縦列領域１ｂの３段目のモジュール家具２３と第３の縦列領域１ｃの３段目のモジュール家具３３とは、第３の縦列領域１ｃの３段目のモジュール家具３３の左側の周壁要素３３１の側面材３３４の前後両端部に止着した第１の連結具Ｊ１を用いて連結されている。第２の縦列領域１ｂの２段目のモジュール家具２２と第３の縦列領域１ｃの２段目のモジュール家具３２とは、これら両モジュール家具２２、３２の周壁要素２２１、３２１の互いに対向する側面材２２４、３２４前後両端部に対応する位置の床面に止着した第２の連結具Ｊ３を用いて連結されている。第２の縦列領域１ｂの１段目の第２のモジュール家具２１と第３の縦列領域１ｃの１段目のモジュール家具３１とは、これら両モジュール家具２１、３１の周壁要素２１１、３１１の互いに対向する側面材２１４、３１４の前端部に対応する位置の床面に止着した第２の連結具Ｊ３を用いて連結されている。
【００５４】
図２５に示す範囲でいえば、まず第２の縦列領域１ｂの３段目のモジュール家具２３を設置し、その次に第２の縦列領域１ｂの２段目のモジュール家具２２を設置する。しかる後に第１の縦列領域１ａの２段目のモジュール家具１２を設置する。その後、第１及び第２の縦列領域１ａ、１ｂの１段目のモジュール家具１１、２０、２１、並びにこれら第１及び第２の縦列領域１ａ、１ｂの後方に配されるモジュール家具６１、６２を任意の順番で設置すればよい。
【００５５】
なお、２段目のモジュール家具２２、３２と３段目のモジュール家具２３、３３とは、その周壁要素２２１、２３１、３２１、３３１同士が、第１の連結具Ｊ１に加え、上の連結具Ｊ２を介してそれぞれ連結されている。第２の縦列領域１ｂにおける２段目のモジュール家具２２と３段目のモジュール家具２３との接続部位における上の連結具Ｊ２を図８に基づいて説明する。上の連結具Ｊ２は、図８に示すように、ボルトＪ２１及びナットＪ２２により構成され、ボルトＪ２１を２段目のモジュール家具２２の後枠材２２５と３段目のモジュール家具２３の前面材２３３とに挿通させたもので、ナットＪ２２を緊締することにより２段目のモジュール家具２２と３段目のモジュール家具２３とを連結している。第３の縦列領域１ｃにおける２段目のモジュール家具３２と３段目のモジュール家具３３とも、これに準じた構造により連結されている。
【００５６】
また、第２の縦列領域１ｂにおける３段目のモジュール家具２３の後枠材２３５とモジュール家具６２の下の枠材６２５との連結、及び第３の縦列領域１ｃにおける３段目のモジュール家具３３の後枠材３３５とモジュール家具６３の下の枠材６３５との連結も、第１の連結具Ｊ１に加え、上の連結具Ｊ２により連結されている。上述した各部位における上の連結具Ｊ２はそれぞれ同じ構成のものであるため、同一の符号を付して説明を省略する。
＜本実施形態の作用効果＞
本実施形態の家具システムＳは、以上説明したようにオフィスのフロア等における中央領域に配置されるセンター設置形態の一例を示すもので、イベントの中心となる家具として好適なものであり、後からでも気軽に参加できるように工夫されている。すなわち、この実施形態の家具システムＳは、階段状に配されたメインシステム１の床面１１ｆ、２１ｆ、２２ｆ、３２ｆ上を自由に上り下りして所望のソファ面１２ｍ、２１ｍ、２３ｍ、３ｍ、３３ｍに着座することができ、前列の着座者Ｐ１と後列の着座者Ｐ２とが良好な関係を保ちながら前方で催されているイベント等に参加することができる。この際、メインシステム１の左右にはサイド配置型のサブシステム２、具体的にはステップタイプのモジュール家具５１、５３が配置されており、そのモジュール家具５１、５３の床面がメインシステム１の１段目のモジュール家具１１、２１の床面１１ｆ、２１ｆと連続しているため、前方のみならず側方からでもメインシステム１の床面上に自由にアクセスすることができる。また、メインシステム１の背面にはバック配置型のサブシステム３、具体的にはキッチンタイプ及びカウンタタイプのモジュール家具６１〜６３が配置されているため、気軽にキッチンタイプのモジュール家具６１やカウンタタイプのモジュール家具６２、６３に近づいてきた部外者Ｐ３も自然に前方を向くように誘導され、そのイベントに興味を持つことや参加することが可能となる。換言すれば、本家具システムＳによれば、周りからイベントの様子が見え、気軽にそのイベントに参加できる仕組み作りに貢献することができる。
【００５７】
また、かかる家具システムＳはイベントや会議等に用いられるだけでなく、山なりのソファに止まり木のように人が集まってフラットなコミュニケーションが生まれるような普段使いも想定されており、その目的を十分に達することもできる。
【００５８】
しかも、この家具システム１は、複数のモジュール家具１１〜１２、２１〜２３、３１〜３３、５１〜５３、６１〜６３を適宜組み合わせて構築することができるものであるため、造作のための内装工事に頼らないインフラ環境や空間演出の仕掛けを迅速に作り上げることができる。そのため、組み替えや設置場所の変更等に容易に対応することができる。特にこの実施形態では、相互に高さ寸法、幅寸法及び奥行寸法が異なるモジュール家具１１〜１２、２１〜２３、３１〜３３、５１〜５３、６１〜６３を段状に組み合わせるようにしているので、多様な形態の家具システムを自在に構築することができる。
【００５９】
そして、このような構成の家具システムＳであれば、各モジュール家具１１〜１２、２０〜２３、３１〜３３が中空体状のものであるので、軽量化を図って運搬や組立作業に要する労力を削減できるだけでなく、その内部空間１１ｓ〜１２ｓ、２０ｓ〜２３ｓ、３１ｓ〜３３ｓを組立時の作業空間や組立後の収納空間等として利用することが可能になる。また、内部空間１１ｓ〜１２ｓ、２０ｓ〜２３ｓ、３１ｓ〜３３ｓを囲繞する周壁要素１１１〜１２１、２０１〜２３１、３１１〜３３１としては、面板状のものや枠状のものなどが存在するが、いずれの態様もその下端部には水平な部材が存在することになる。そのため、種々の形態の周壁要素１１１〜１２１、２０１〜２３１、３１１〜３３１を有するモジュール家具１１〜１２、２０〜２３、３１〜３３を配列させ連結する場合でも簡単な構成の連結具Ｊ１、Ｊ３を用いて連結することが可能になる。すなわち、周壁要素の下端部のみを連結するには、コ字型をなすクリップ状の連結具Ｊ１、Ｊ３でその目的を達成することができ、モジュール家具同士の位置ずれを効果的に防止又は抑制することができる。
【００６０】
この実施形態では、第１の連結具Ｊ１だけでなく、第２の連結具Ｊ３をも使用しているため、組み立て順序の自由度を高めることもできる。すなわち、第１の連結具Ｊ１のみで連結する場合には組み立ての順序が画一的となり、モジュール家具の組み合わせ方によっては連結ぶることが不可能な場合も生じうるが、第２の連結具Ｊ３を追加することにより、その不具合を緩和することもできる。
【００６１】
なお、本発明は以上に述べた実施形態に限らない、
例えば、連結具の構成は種々のものを採用することができる。但し、上述した実施形態のように、連結具が、隣接する周壁要素の内面にそれぞれ係接する対をなす挟持部材と、これら挟持部材同士を前記周壁要素と干渉しない位置において結合する結合部材とを備えたものであれば、簡単な構成により周壁要素同士を連結することができる。特に、隣接する周壁要素の内面にそれぞれ係接する対をなす挟持部材と、これら挟持部材の基端同士を結合する結合部材とを備えたクリップ状のものであれば、共通の板金素材等を用いて一体に形成することが可能であり、部品点数を削減することができる。また、クリップ状の連結具であれば、連結すべき家具の周壁要素がいずれも枠状のものである場合、連結具を予め家具や床面に止着せずに隣接する枠材の上から連結具を嵌合させることもできる。
【００６２】
連結具をコ字型をなすクリップ状に形成する態様も種々考えられるが、上述した第１の連結具のように、一方の挟持部材が対応する周壁要素に密着すべく前記結合部材に直交し、他方の挟持部材が先端に向かって漸次対応する周壁部材から離間する方向に傾斜しているものであれば、連結順序が予め示唆されているため、組み立てを円滑に行うことができる。また、上述した第２の連結具のように、両挟持部材は、先端に向かって漸次対応する周壁要素から離間方向に傾斜しているものであれば、組み立ての順序を問わず隣接する家具同士を連結することができる。
【００６３】
そして、ソファタイプのモジュール家具における周壁要素と天壁要素との位置決めは、上述した実施形態とは逆に、周壁要素側から上方に突設した位置決め突起を、天壁要素側のクッション体の芯材の角部内面に嵌合させるようにしてもよく、他の方法で行ってもよい。
【００６４】
その他、本発明の趣旨を損ねない範囲で種々変形が可能である。
【符号の説明】
【００６５】
Ｓ…家具システム
１１〜１２、２０〜２３、３１〜３３…家具（モジュール家具）
１１ｓ〜１２ｓ、２０ｓ〜２３ｓ、３１ｓ〜３３ｓ…内部空間
１１１〜１２１、２０１〜２３１、３１１〜３３１…周壁要素
Ｊ１…（第１の）連結具
Ｊ１１…一方の挟持部材
Ｊ１２…他方の挟持部材
Ｊ１３…結合部材
Ｊ３…（第２の）連結具
Ｊ３１…挟持部材
Ｊ３３…結合部材
【図１】
2020043967.tif 000003
【図２】
2020043967.tif 000004
【図３】
2020043967.tif 000005
【図４】
2020043967.tif 000006
【図５】
2020043967.tif 000007
【図６】
2020043967.tif 000008
【図７】
2020043967.tif 000009
【図８】
2020043967.tif 000010
【図９】
2020043967.tif 000011
【図１０】
2020043967.tif 000012
【図１１】
2020043967.tif 000013
【図１２】
2020043967.tif 000014
【図１３】
2020043967.tif 000015
【図１４】
2020043967.tif 000016
【図１５】
2020043967.tif 000017
【図１６】
2020043967.tif 000018
【図１７】
2020043967.tif 000019
【図１８】
2020043967.tif 000020
【図１９】
2020043967.tif 000021
【図２０】
2020043967.tif 000022
【図２１】
2020043967.tif 000023
【図２２】
2020043967.tif 000024
【図２３】
2020043967.tif 000025
【図２４】
2020043967.tif 000026
【図２５】
2020043967.tif 000027
【図２６】
2020043967.tif 000028
【図２７】
2020043967.tif 000029